(57)【特許請求の範囲】
【請求項１】
レンチキュラーシート(70)と、
前記レンチキュラーシート(70)の裏面にプリンティングされた広告層(60)と、
前記広告層(60)の裏面に付着された紙(80)と
を備えた広告機能を有するタバコケースであって、
上記タバコケースは、ふた部(10)、上記ふた部（10）に連設された第1広告面部(20)、第2広告面部(40)、及び上記第1広告面部(20)と第2広告面部(40)を連結する連結面部(30)により構成されると共に、上記第1広告面部(20)の両側端にはタバコケース(100)の両側部面を形成する第1羽部(25)が設けられ、上記第2広告面部(40)の両側端にはタバコケース(100)の両側部面を形成する第2羽部(45)が設けられており、
上記ふた部(10)、第1広告面部(20)、第2広告面部(40)及び連結面部(30)は全て広告物を印刷することができるPET材料からなるレンチキュラーシート(70)であり、
前記レンチキュラーシート(70)が折り曲げられ、前記レンチキュラーシート(70)の羽部同士が接着剤により接着され、箱状体となるように形成された
タバコケース。
【請求項２】
前記レンチキュラーシート(70)の表面の一部に透明窓(67)を備える
請求項１に記載のタバコケース。
【請求項３】
前記接着剤が、
エチル・アセテート、トルエン、２−エチル・ヘクセル・アクリレート・モノマー（2- EHAM）、Ｎ−ビティル・アクリレート・モノマー（BAM）、ビニル・アクリレート・モノマー（VAM）、アクリル・アシッド、２−ハイドロキシ・エチル・メタクリレート（2-HEMA）、Ｎ−メタロール・アクリル・アミド（N-MAM）、ベンゾイル・ぺロキシド（BPO）、およびアクソビシソバイティロンニトリル（AIBN）の少なくともいずれかを含むアクリリック・アシッド・エスター・コポリマーである
請求項１に記載のタバコケース。
【請求項４】
上部面に一定方向に多数の溝を有した薄いレンチキュラーシートを準備する段階と、
前記レンチキュラーシート(70)の裏面に所望の広告を示す広告層(60)をプリンティングする段階と、
前記広告層(60)がプリンティングされた前記レンチキュラーシート(70)の裏面に紙(80)を付着させる段階と、
前記レンチキュラーシート(70)が容易に折られるように、前記レンチキュラーシート(70)の折り目部分に溝を形成する段階と、
前記レンチキュラーシート(70)の羽部同士を接着剤により接着することにより箱を形成する段階と、
前記箱のふた部に近接した位置に支持部材(90)を設ける段階と
を備える、広告機能を有するタバコケースを製造する方法。
【請求項５】
前記接着剤が、
エチル・アセテート、トルエン、２−エチル・ヘクセル・アクリレート・モノマー（2- EHAM）、Ｎ−ビティル・アクリレート・モノマー（BAM）、ビニル・アクリレート・モノマー（VAM）、アクリル・アシッド、２−ハイドロキシ・エチル・メタクリレート（2-HEMA）、Ｎ−メタロール・アクリル・アミド（N-MAM）、ベンゾイル・ぺロキシド（BPO）、およびアクソビシソバイティロンニトリル（AIBN）の少なくともいずれかを含むアクリリック・アシッド・エスター・コポリマーである請求項４に記載の方法。
【発明の詳細な説明】
【技術分野】
【０００１】
本発明は広告機能を持つタバコケース及びその製造方法に関するものである。より具体的にはレンチキュラーシート材料を、特殊な接着剤の使用により箱状に形成し、表現力のある広告機能を持ち、必要によっては一部分を透明にして内部のタバコが見える機能など多様な広告機能を持つタバコケース及びその製造方法に関するものである。
【背景技術】
【０００２】
最近、プラスチックコップ、容器、広告板などの工業製品全般にわたって、スポーツ選手、映画及びTVなどにおける俳優やタレント、またその他の画像を使った広告表現により、製品の市場価値を増大させる広告手法が漸増している。また、購買者の関心度も高くなりつつあり、より一層視覚効果が改善されることが要求されている。
【０００３】
このような消費者の要求に応じて、より外見が重視される(インパクトのある画像やグラフィックが求められる)タイプの製品の場合、レンチキュラー印刷によれば、3D、チェンジング、動画などの様々な表現が出来るため、製品の視覚的効果の改善が可能となる。このレンチキュラーシートの生産方法は、よく知られているように、アメリカ特許第5,967,032号(Bravenec 等)を含めた多数のアメリカ特許に詳しく記載されている。
【０００４】
一般的にレンチキュラー印刷は平面的な画像に遠近感を作り出し、立体的な見え方がする立体写真印刷、動画(アニメーション)写真印刷、立体映像表現などに利用されている。
このレンチキュラー印刷に使用するレンチキュラーシートとしては、プラスチック素材の透明度の高い薄いＰＥＴが使われており、表面にトタン板のように一定方向に波状の筋をもつ加工がおこなわれている。波状の高い部分が凸レンズ、低い部分が凹レンズで微細なレンズの集合体となっているシートである。このシートを透して、表面の筋状のレンズ幅に対応して裏面に左右の目に合わせたライン状に印刷された画像を左右両方の目で見ると、立体的に見えたり、また見る角度により画像が変化して見えたりする。
【０００５】
また 2種類の像を普通の視覚距離で結合させて見れば、その物体がより近く感じられる効果が得られる。さらに左右の目から見える層の部分的な画像をその目の視線にあわせて記録しておけば、より現実的な立体感を得られるのである。
【０００６】
また動いている物体の各瞬間の静止画を順次印刷及び記録すれば、目の動線にあわせて動画のように見える。
【０００７】
上記レンチキュラーシートの一般的な生産工程においては、意図する視覚効果を出すため、画像を分割させて、そのセグメントをインターレーシング(多くの画像のレイアウトをプランニングする)をし、その上にマッピングをして、レンチキュラーシートの生産が行われる。レンチキュラーシートは一般的に偏平な面または層と、ふっくらしたレンズによって形成される溝と光学的うねり(optical ridge)が用いられた面の透明なウェイブとから構成され、レンチキュラーシート上において、一定の方行に光学的なうねりを持った透明なウェイブ面が形成されている。
【０００８】
このようなレンチキュラーシートを利用した分野は、韓国公開実用新案公報第 1999-11953号により開始されたように、印刷産業で広く知られており、絵はがき、ディスプレー及びカタログなどに利用されている。
【０００９】
しかし、レンチキュラーシートを用いて、ボックスを始め、タバコケースを製作するためには多大な困難が伴い、一般的な接着剤では十分な接着力が保持出来ず、一定時間が経過するとレンチキュラーシートの接着部分が取れてしまう恐れがある。
【００１０】
そこで、本発明者はレンチキュラーシートを使用した広告機能を加えられるタバコケースを製作する方法について持続的に研究してきた結果、本発明を創案したものである。
【発明の概要】
【発明が解決しようとする課題】
【００１１】
本発明の目的は上記のような問題点を解決するためのもので、レンチキュラーシートを利用することで多様な広告表現機能を付与したタバコケース及びその製造方法を提供するものである。
【００１２】
本発明の他の目的は透明窓を設けてケース内部のタバコを目で確認が可能な広告機能を持つタバコケース及びその製造方法を提供するものである。
【００１３】
本発明の他の目的は特殊な接着剤を用いることで接着力を向上させた広告機能を持つタバコケース及びその製造方法を提供するのである。
【課題を解決するための手段】
【００１４】
上記課題の解決を図るべく、本発明は、レンチキュラーシートの裏面に広告層がプリンティングされ、その状態でレンチキュラーシートを折り曲げて羽部位を接着し、ボックス形態で製作することを特徴としている。
【００１５】
上記レンチキュラーシートの一部面に透明窓を具備する。
【００１６】
上記接着剤は、エチル・アセテート（ETHYL ACETATE）、トルエン（TOLUENE）、２−エチル・ヘクセル・アクリレート・モノマー（2-ETHYL HEXYL ACRYLATE MONOMER＜以下2-EHAMとする＞）、N-ビティル・アクリレート・モノマー（N-BYTYL ACRYLATE MONOMER＜以下BAMとする＞）、ビニル・アクリレート・モノマー（VINYL ACRYLATE MONOMER＜以下BAMとする＞）、アクリル・アシッド（ACRYL ACID）、２−ハイドロキシ・エチル・メタクリレート（2-HYDROXY ETHYL METHACRYLATE＜以下2-HEMAとする＞）、N-メタロール・アクリル・アミド（N-METHYLOL ACRYL AMID、＜以下N-MAMとする＞）ベンゾイルぺロキシド（BENZOYLPEROXIDE＜以下BPOとする＞）、アクソビシソバイティロンニトリル（AXOBISISOBYTYLONITRILE＜以下AIBNとする＞）等を少なくとも含むアクリリック・アシッド・エスター・コポリマー（ACRYLIC ACID ESTER COPOLYMER）であることを特徴とする。
【００１７】
上記接着剤は、ホットメルト接着剤、瞬間接着剤、アクリル係水性接着剤等で接着することを特徴とする。
本発明による広告機能を持つタバコケースの製造方法は、上部面に一定方向に多数のホームのある薄いレンチキュラーシートを準備する段階；
レンチキュラーシートの裏面に広告物を印刷した広告層をプリンティングする段階；
広告層を上記レンチキュラーシートの裏面に付着する段階；
レンチキュラーシートの折る部分によく折られるように折り目を入れる段階；
羽部を接着し、ボックスを製作する段階；
ボックスのふた部に接した位置に支持部材を設ける段階を備えることを特徴とする。
【発明の効果】
【００１８】
本発明による広告機能を持つタバコケースによれば、レンチキュラーシートを材料として製作することで、立体感、マルチ画面、動画、複数のイメージ等の表現が可能となり、広告効果を増すことができる。
また、特殊な接着剤を使用することで接着力を増大させることができる、という長所がある。
【図面の簡単な説明】
【００１９】
【図１】図１は本発明によって製造されたタバコケースの斜視図である。
【図２】図２は図１の展開図である。
【図３】図３は図２の展開図を折る動作を図示化した図面である。
【図４】図４は本発明によって製造されたタバコケースの第１広告面の断面図である。
【図５】図５は本発明のタバコケースで、透明窓を設けたものの斜視図である。
【発明を実施するための形態】
【００２０】
以下、図面を参照し、本発明によるタバコケースを詳しく説明する。
【００２１】
図１は本発明によって製造されたタバコケースの斜視図であり、図２は図１の展開図であり、図３は図２の展開図を折る動作を図示化した図面である。
【００２２】
図１と図３に図示されているように、ふた部(10)、第1広告面部(20)、第2広告面部(40)、及び上記第1広告面部(20)と第2広告面部(40)を連結する連結面部(30)で構成される。
【００２３】
上記第1広告面部(20)の両側端にはタバコケース(100)の両側部面を形成する第1羽部(25)が設けられ、上記第2広告面部(40)の両側端にはタバコケース(100)の両側部面を形成する第2羽部(45)が設けられている。
【００２４】
ここで、上記ふた部(10)、第1広告面部(20)、第2広告面部(40)及び連結面部(30)は全て広告物を印刷することができるレンチキュラーシート(70)材料である。上記レンチキュラーシート(70)は、一般的にその材料がPET材料で、一般接着剤では剥がれたりする問題点があった。
【００２５】
すなわち、タバコケース(100)を完成する場合に、第1羽部(25)と第2羽部(45)に特殊な接着剤を使用するとタバコケースの形態を維持することができる。
【００２６】
上記ふた部(10)、第1広告面部(20)、連結面部(30)及び第2広告面部(40)のレンチキュラーシート(70)の背面には広告層(60)がプリンティングされる。その後レンチキュラーシート(70)背面全体に接着剤で紙(80)が付着される。
【００２７】
上記紙(80)としては、例えば45kg程度の模造紙が望ましい。上記紙(80)は湿気に敏感で湿気を容易に排出したり吸水したりする特徴があるためである。
【００２８】
上記紙(80)の機能は、タバコケース(100)の内部を形成し、湿気を一定幅内に維持することで、タバコの味を保つことである。
【００２９】
また、タバコケース(100)の内部にはふた部(10)に隣接した位置に支持部材(90)が設けられている。上記支持部材(90)には、両側角に羽形態の引っかけ突起(95)を一体で形成するようにする。支持部材(90)は紙類またはプラスチック類で製作する。
【００３０】
このように、支持部材(90)を紙制またはプラスチックで製作することで、上記タバコケース(100)の内部を形成する紙(80)との面接触性能を高めることができ、ふた(10)を閉めた状態で維持することができる。
【００３１】
タバコケース(100)の折り方は、既に広く知られたものであるため、本明細書においてその説明は省略する
【００３２】
以下、本発明による広告機能を持つタバコケースの製作方法に関して、具体的に説明する。
【００３３】
１．上部面に一定方向に多数の溝のある薄いレンチキュラーシート(70)を準備する。
【００３４】
２．レンチキュラーシート(70)の裏面に、広告物を印刷した広告層(60)をプリンティングする。
【００３５】
３．レンチキュラーシート(70)の折る部分に折り目をいれる。
【００３６】
上記紙（80）を付着させるために接着剤を利用する方法として、UVインクを利用し、レンチキュラーシートと紙を硬化させ、付着する。
【００３７】
４．上記レンチキュラーシート（70）に折り曲げが容易になるように折り目を入れる。
【００３８】
５．接着剤を羽部に接着してボックスを製作する。
【００３９】
６．ボックスのふた部に接した位置に支持部材(90)を設ける。  
【００４０】
上記を製作する際に重要であるのは、特殊な接着剤の開発である。
【００４１】
以下、本発明では接着力が弱まらない特殊な接着剤に関して詳しく説明する。
【００４２】
本発明に使用される接着剤はACRYLIC ACID ESTER COPOLYMER という透明粘着液である。ETHYL ACETATE、TOLUENE、BAM、BAM、ACRYL ACID（以下「2-EHAM」とする）、2HEMA、N-NAM、BPO、AIBNを少なくとも含むACRYLIC ACID ESTER COPOLYMERであることを特徴とする。
【００４３】
以下、本発明に使用される接着剤の製造方法の説明である。
【００４４】
＜表１＞は接着剤を製造する際の混合比率を表すものの一例である。
【００４５】
【表１】
0004831712.tif 000002
【００４６】
まず、580g のETHYL ACETATEと1069.5g(表１にある2.139gの半分)のTOLUENEとを反応器に投入し、混合する。
【００４７】
次に、2-EHAM、BAM、VAM、ACRYL ACID 、N-MAM、BPO(75%)及びAIBNを表１にある投入量で配合する。
【００４８】
ETHYL ACETATE とTOLUENEを混ぜた反応器の温度を第1温度（例えば、85%）に上温させる。2-EHAM、BAM、VAM、ACRYL ACID 、N-MAM、BPO(75%)及びAIBNの配合物を第1時間（例えば、3時間）にかけ、上記反応器に入れる。
【００４９】
反応器の温度を第1温度（例えば、85%）に維持してかき混ぜながら、ETHYL ACETATE 、TOLUENE及び配合物を第2時間（例えば、4時間）にかけて反応させる。この時、かき混ぜ速度は25rpm程度にする。
【００５０】
続いて、反応器に1069.5g(表1にある2.139gの半分)のTOLUENEを投入後、常温に冷却して包装し、接着剤の製造を完成させる。
【００５１】
本発明のACRYLIC ACID ESTER COPOLYMER接着剤はPET材料のシートに使用される時、粘着力と維持力が優れており、本発明のレンチキュラーシートに適切である。  
【００５２】
図４は本発明によるタバコケースの第 1広告面に対する断面図である。
【００５３】
図４に図示されているように、レンチキュラーシート(70)の裏面部に広告層(60)がプリンティングされ、その下部に紙(80)が接着剤で付着され、製作されるのである。
【００５４】
図５は他の実施例のタバコケースとして、透明窓を形成したタバコケースの斜視図である。
【００５５】
レンチキュラーシート(70)に第 1広告面部(20) または第 2広告面部(40)、および透明窓(67)を形成することで、タバコの本数やその他の中身の確認ができる。
【符号の説明】
【００５６】
１０    ふた部
２０    第1広告面部
２５    第1羽部
３０    連結面部
４０    第2広告面部
４５    第2羽部
６０    広告層
７０    レンチキュラーシート
８０    紙
１００  タバコケース
【図１】
0004831712.tif 000003
【図２】
0004831712.tif 000004
【図３】
0004831712.tif 000005
【図４】
0004831712.tif 000006
【図５】
0004831712.tif 000007